(57)【特許請求の範囲】
【請求項１】
パーソナルケア製品またはその成分の頭皮強化および／またはフケ防止の能力を明らかにする方法であって、
（ｉ）非動物由来の固体多孔質物品の第１部分を選択すること、
（ｉｉ）前記物品の第１部分を前記パーソナルケア製品またはその成分で処理すること、
（ｉｉｉ）前記処理した第１部分を乾燥工程に供すること、
（ｉｖ）前記乾燥した第１部分を機械的に処理すること、および
（ｖ）前記処理した第１部分の少なくとも１つの性質を評価すること、
を含み、機械的処理が、コーミング、折りたたみ、またはそれらの組み合せを含み、前記評価された性質が処理していない物品および／または処理した第２部分に対する処理した第１部分の特性の変化であり、前記特性が、外観、重量、またはそれらの組み合せである、方法。
【請求項２】
前記物品が、人工皮膚、ポリウレタン、セルロース、多糖、植物組織、小麦粉製食品、紙、スポンジ、またはそれらの組み合せ、好ましくは人工皮膚を含む、請求項１に記載の方法。
【請求項３】
前記物品の第１部分の長さが１ｍｍ〜１０ｍ、好ましくは２ｃｍ〜６０ｃｍである、請求項１または２に記載の方法。
【請求項４】
前記物品が１０ｎｍ〜２ｍｍ、好ましくは１００ｎｍ〜５００ミクロンの孔径を有する、請求項１〜３のいずれか一項に記載の方法。
【請求項５】
前記方法が、前記パーソナルケア製品の成分の頭皮強化および／またはフケ防止の能力を明らかにするためのものであって、工程（ｉｉ）において前記物品の第１部分を前記成分を含む水性液体で処理する、請求項１〜４のいずれか一項に記載の方法。
【請求項６】
前記水性液体の重量による前記成分の濃度が、前記パーソナルケア製品の重量による前記成分の濃度よりも高い、請求項５に記載の方法。
【請求項７】
処理工程（ｉｉ）の期間が１０秒〜２４時間、好ましくは３０秒〜１０分である、請求項１〜６のいずれか一項に記載の方法。
【請求項８】
乾燥工程（ｉｉｉ）の期間が１秒〜２００時間、より好ましくは５分〜２０時間である、請求項１〜７のいずれか一項に記載の方法。
【請求項９】
乾燥工程（ｉｉｉ）が前記処理した第１部分と熱風を接触させること、前記処理した第１部分を周囲空気に放置すること、またはそれらの組み合せを含む、請求項１〜８のいずれか一項に記載の方法。
【請求項１０】
乾燥が、前記処理した第１部分と熱風を接触させることを含み、前記熱風の温度が３５℃〜１２０℃である請求項９に記載の方法。
【請求項１１】
前記製品がヘアケア製品である、請求項１〜１０のいずれか一項に記載の方法。
【請求項１２】
前記成分が、多価アルコール、脂肪質、エステルエモリエント、炭化水素エモリエント、シリコーン油、ビタミン、アミノ酸、植物抽出物、もしくはそれらの混合物を含むか、または多価アルコール、脂肪質、エステルエモリエント、炭化水素エモリエント、シリコーン油、ビタミン、アミノ酸、植物抽出物、もしくはそれらの混合物である、請求項１〜１１のいずれか一項に記載の方法。
【請求項１３】
工程（ｉ）において前記物品の第２部分を選択し、工程（ｉｉ）において前記第２部分をプラセボ製品で処理し、乾燥工程（ｉｉｉ）に対して前記処理した第２部分を処理し、また、工程（ｉｖ）において前記乾燥した第２部分を機械的に処理する、請求項１〜１２のいずれか一項に記載の方法。
【請求項１４】
前記プラセボが水である、請求項１３に記載の方法。
【発明の詳細な説明】
【技術分野】
【０００１】
本発明は、パーソナルケア製品またはその成分の頭皮強化および／またはフケ防止の能力を明らかにする方法に関する。特に、上記方法は、非動物由来の固体多孔質物品の第１部分を選択すること、該物品の第１部分をパーソナルケア製品またはその成分で処理すること、処理した第１部分を乾燥工程に供すること、および乾燥した第１部分を物理的に処理することを含む。
【背景技術】
【０００２】
パーソナルケア製品は、皮膚または毛髪の状態を改善するように設計されてきた。しかしながら残念なことに、いくつかの利益、たとえば、かかる製品の頭皮の強化は使用者に直ちに知覚されるものではなく、実際、消費者に知覚可能な利益を得るには何時間または何日も繰り返し塗布しなければならない場合がある。
【０００３】
特許文献１（Ｕｎｉｌｅｖｅｒ）は、皮膚、頭皮または毛髪の特性に反応するトランスデューサーデバイスであって、その特性に関連するアナログ出力を提供するトランスデューサーデバイスと、音声信号入力からデジタル信号を出力するためのシリアルデバイスとを含む、使用者の皮膚、頭皮または毛髪の状態を分析するための装置であって、音声信号が上記特性に関連するトランスデューサーのアナログ出力から発生され、シリアルデバイスが新たなパケットが開始するポイントとその受け取った生のデータ信号を解釈する機会の両方を見出すためのアプリケーションに十分なデータパケット通信を提供する、装置を開示する。
【先行技術文献】
【特許文献】
【０００４】
【特許文献１】国際公開第２０１２／０２００４３号
【発明の概要】
【０００５】
しかしながら、頭皮の状態を評価するための計器測定は、複雑でありおよび／または高価な実験設備を伴う場合がある。さらに、かかる測定は、多くの場合、素人には理解し難いか又は少なくとも予測される製品の有効性に関連する数値パラメータを生じる。
【０００６】
したがって、本発明らは、頭皮強化および／またはフケ防止の能力を明らかにするための方法であるものの、専門家の設備を必要とせずおよび／または容易に消費者の利益に関連する方法を提供する必要性を確認した。
【０００７】
第１の態様では、本発明はパーソナルケア製品またはその成分の頭皮強化および／またはフケ防止の能力を明らかにする方法であって、
（ｉ）非動物由来の固体多孔質物品の第１部分を選択すること、
（ｉｉ）上記物品の第１部分を上記パーソナルケア製品またはその成分で処理すること、
（ｉｉｉ）上記処理した第１部分を乾燥工程に供すること、および
（ｉｖ）上記乾燥した第１部分を機械的に処理すること、
を含む方法を提供する。
【０００８】
本発明の他の全ての態様は、以下の詳細な説明および実施例を考慮することにより容易に明らかとなる。
【発明を実施するための形態】
【０００９】
実施例を除き、または明らかに別段の指示がない場合は、本明細書において材料の量または反応の条件、材料の物理的特性および／または使用を示す全ての数字は、「約」の文言によって修飾されると理解されてもよい。
【００１０】
全ての量は、別段の明示がない限りその製品の重量による。
【００１１】
任意の範囲の値の明示において、任意の特定の上限値は任意の特定の下限値と関連し得ることに留意されたい。
【００１２】
疑義を回避するため、「含む（ｃｏｍｐｒｉｓｉｎｇ）」の文言は「含む（ｉｎｃｌｕｄｉｎｇ）」を意味することが意図されるが、必ずしも「からなる（ｃｏｎｓｉｓｔｉｎｇ  ｏｆ）」または「で構成される（ｃｏｍｐｏｓｅｄ  ｏｆ）」を意味するものではない。換言すれば、列挙される工程または選択肢は包括的である必要はない。
【００１３】
本明細書に見られる本発明の開示は、請求項が多項従属性または冗長性を伴わないと判断され得る事実に関わらず、互いに多項従属である請求項において見られる全ての実施形態を包含するものとみなされる。
【００１４】
本発明の方法は、非動物由来の固体多孔質物品の第１部分を選択する工程（ｉ）を含む。本明細書で使用される非動物由来は、上記物品が動物に由来しないことを意味する。動物はヒトを含むことに留意されたい。多孔質物品は、表面の孔および／または本体のボイドを有する任意の物品を意味する。固体は、周囲環境（２５℃で大気圧）でその状態であることを指す。
【００１５】
上記物品は、人工皮膚、ポリウレタン、セルロース、多糖、植物組織、小麦粉製食品、紙、スポンジ、またはそれらの組み合せを含むことが好ましい。植物組織は、植物全体、花、葉、花弁、茎、果実、種子、もしくは根および／またはそれらの断片であってもよい。小麦粉製食品は、パン、ケーキ、ウェハー、クッキー、ポテトチップ、シリアル、またはそれらの組み合せから選択されてもよい。上記物品は、薄いが表面積が大きいため比較的早く乾燥することから、人工皮膚、植物の葉、植物の花弁、果実の皮、パン、真菌（特に、膠質菌類（アウリクラリアレス：Ａｕｒｉｃｕｌａｒｉａｌｅｓ））またはそれらの組み合せがより好ましい。上記物品は、人工皮膚、膠質菌類（アウリクラリアレス：Ａｕｒｉｃｕｌａｒｉａｌｅｓ）、およびパンを含むことがさらに好ましい。最も好ましい物品として、機械的相互作用を経る際に壊れやすいため、人工皮膚、および膠質菌類（アウリクラリアレス：Ａｕｒｉｃｕｌａｒｉａｌｅｓ）が挙げられる。
【００１６】
裸眼で見えるようにおよび／または機械的処理を受けやすいように、上記物品の第１部分の長さは、好ましくは１ｍｍ〜１０ｍ、より好ましくは５ｍｍ〜２ｍ、さらに好ましくは１ｃｍ〜６０ｃｍ、最も好ましくは２ｃｍ〜３０ｃｍである。本明細書では、上記長さは上記物品の第１部分の任意の点の最も長い距離を指す。
【００１７】
その一方で、パーソナルケア製品またはその成分を効果的に吸収するため、上記物品は１０ｎｍ〜２ｍｍ、より好ましくは１００ｎｍ〜５００ミクロン、さらに好ましくは５００ｎｍ〜２００ミクロンの孔径を有することが好ましい。孔径は、孔が輪郭のはっきりしない球状である場合には、物品の最も大きな表面に沿った孔の最も長い測定可能な距離を指す。たとえば、孔径は、走査型電子顕微鏡（ＳＥＭ）によって測定できる。孔径の値は、少なくとも１０個の孔の数平均値として得られる。
【００１８】
本発明の方法は、上記物品の第１部分をパーソナルケア製品またはその成分で処理する工程（ｉｉ）を含む。
【００１９】
上記処理は、少なくとも上記第１部分と上記製品または成分を接触させることを含む。上記接触は、たとえば、第１部分の少なくとも１つの表面に上記製品または成分を塗り広げることを含んでもよい。追加的にまたは代替的に、上記接触は、上記製品または成分を含む液体に上記第１部分を浸漬することを含んでもよい。また、上記処理は、上記製品または成分との接触の後に第１部分を濯ぐことを含んでもよい。
【００２０】
処理工程（ｉｉ）の期間、すなわちパーソナルケア製品またはその成分の上記物品への塗布の開始から乾燥工程（ｉｉｉ）の開始までの時間は、１秒〜２４時間であることが好ましい。しかしながら、上記方法は、製品の有効性の迅速な実証が望まれる状況、たとえば、店頭および／または販売時点等に特に適している場合がある。そのため、処理工程の期間は、２時間未満、より好ましくは１時間未満、さらに好ましくは３０分未満、最も好ましくは１０分未満である。しかしながら、その差を効果的に示すため、処理工程の期間は、より好ましくは少なくとも１０秒、さらに好ましくは少なくとも３０秒である。
【００２１】
上記パーソナルケア製品は、毛髪および／または皮膚に対して、それらの状態を改善する目的による塗布が意図されるものであることが好ましい。特に、上記製品は、頭皮強化、栄養、バリア機能、保湿、弾力、抗フケ、およびそれらの組み合せから選択される毛髪および／または皮膚の状態の改善が意図されることが好ましい。上記製品は、ヘアケア製品、特に頭皮の状態を改善することが意図されるヘアケア製品であることが好ましい。
【００２２】
好ましい実施形態では、上記第１部分は、工程（ｉｉ）においてパーソナルケア製品の成分で処理される。上記製品全体ではなくその成分による上記部分の処理は、たとえば、上記成分を製品中よりも高濃度で上記部分に塗布することおよび／または全製品を塗布することによって達成されるものとは異なる方式で塗布することを可能とする。そのため、上記成分の頭皮強化および／またはフケ防止の能力は、その能力を短時間で実証できるように増強できる。上記物品の第１部分は、上記成分を含む水性液体で処理されることが好ましい。上記水性液体の重量による上記成分の濃度は、パーソナルケア製品の重量による上記成分の濃度よりも高いことがより好ましい。たとえば、上記水性液体の重量による上記成分の濃度は、パーソナルケア製品の重量による上記成分の濃度の少なくとも２倍、より好ましくは少なくとも３倍、より好ましくはさらに少なくとも５倍、および最も好ましくは少なくとも１０倍であってもよい。
【００２３】
上記成分は、ある方式で上記製品と関連しなければならない。「関連する」は、好ましくは上記方法が、上記成分が上記製品の材料であることを確認する工程を含むことを意味する。たとえば、工程（ｉ）に先立って、上記方法は、評価のためのパーソナルケア製品の成分を選択する工程を含んでもよい。追加的にまたは代替的に、上記方法は、テキスト、ビデオ、オーディオ等の表示によりパーソナルケア製品の材料として上記成分を伝える工程を含んでもよい。
【００２４】
上記成分は、頭皮強化、栄養、バリア機能、保湿、抗フケ、またはそれらの組み合せを提供し得る成分であるように選択されるべきである。たとえば、上記成分は、好ましくは保湿剤、エモリエント、生理活性物質、またはそれらの組み合せであるか、または少なくともそれらを含む。明確にするため、典型的には上記成分は水ではない。上記成分は、多価アルコール、脂肪質（オイル、脂肪アルコール、脂肪酸、および／または石鹸等）、エステルエモリエント、炭化水素エモリエント、シリコーン油、ビタミン、アミノ酸、植物抽出物、もしくはそれらの混合物を含むか、またはそれらであることがより好ましい。上記成分は多価アルコールを含むことが最も好ましい。
【００２５】
好ましい多価アルコールとして、ポリアルキレングリコールが挙げられ、より好ましくは、プロピレングリコール、ジプロピレングリコール、ポリプロピレングリコール、ポリエチレングリコールおよびそれらの誘導体、ソルビトール、ヒドロキシプロピルソルビトール、へキシレングリコール、１，３−ブチレングリコール、イソプレングリコール、１，２，６−ヘキサントリオール、グリセロール、エトキシル化グリセロール、プロポキシル化グリセロール、並びにそれらの混合物を含むアルキレンポリオールおよびそれらの誘導体が挙げられる。グリセロール（グリセリンとしても知られる）が最も好ましい。
【００２６】
シリコーン油は、揮発性または不揮発性の種類に分けられる場合がある。本明細書で使用される「揮発性」の用語は、周囲温度（２５℃）で測定可能な蒸気圧を有する材料を指す。揮発性シリコーン油は、３個〜９個、好ましくは４個〜５個のケイ素原子を含有する環状（シクロメチコン）または線状のポリジメチルシロキサンから選択されることが好ましい。
【００２７】
エモリエント材料として有用な不揮発性シリコーン油として、ポリアルキルシロキサン、ポリアルキルアリールシロキサン、およびポリエーテルシロキサンコポリマーが挙げられる。本明細書で有用な本来的に不揮発性のポリアルキルシロキサンとして、たとえば、２５℃で約５×１０−６ｍ２／ｓ〜０．１  ｍ２／ｓの粘度を有するポリジメチルシロキサンが挙げられる。好ましい不揮発性エモリエントの中でも、本組成物において有用なものは、２５℃で約１×１０−ｓｍ２／ｓ〜約４×１０−４ｍ２／ｓの粘度を有するポリジメチルシロキサンである。
【００２８】
オルガノポリシロキサンクロスポリマーを有用に用いることができる。これらの材料の代表は、Ｄｏｗ  Ｃｏｒｎｉｎｇ（９０４０、９０４１、９０４５、９５０６および９５０９）、Ｇｅｎｅｒａｌ  Ｅｌｅｃｔｒｉｃ（ＳＦＥ  ８３９）、Ｓｈｉｎ  Ｅｔｓｕ  （ＫＳＧ−１５、１６および１８［ジメチコン／フェニルビニルジメチコンクロスポリマー］）およびＧｒａｎｔ  Ｉｎｄｕｓｔｒｉｅｓ（Ｇｒａｎｓｉｌブランドの材料）を含む様々な製造業者から入手可能なジメチコン／ビニルジメチコンクロスポリマーおよびジメチコンクロスポリマー、並びにＳｈｉｎ  Ｅｔｓｕ（たとえば、ＫＳＧ−３１、ＫＳＧ−３２、ＫＳＧ−４１、ＫＳＧ−４２、ＫＳＧ−４３およびＫＳＧ−４４）によって供給されるラウリルジメチコン／ビニルジメチコンクロスポリマーである。
【００２９】
脂肪質の具体例として、ステアリルアルコール、グリセリルモノリシノレエート、ミンクオイル、セチルアルコール、イソプロピルイソステアレート、ステアリン酸、イソブチルパルミテート、イソセチルステアレート、オレイルアルコール、イソプロピルラウレート、へキシルラウレート、デシルオレエート、オクタデカン−２−オール、イソセチルアルコール、エイコサニルアルコール、べへニルアルコール、セチルパルミテート、ジ−ｎ−ブチルセバケート、イソプロピルミリステート、イソプロピルパルミテート、イソプロピルステアレート、ブチルステアレート、ポリエチレングリコール、トリエチレングリコール、ラノリン、カカオ脂、コーン油、綿実油、オリーブ油、パーム核油、ナタネ油、ベニバナ種子油、マツヨイグサ油、大豆油、ヒマワリ種子油、アボカド油、ゴマ油、ココナッツ油、落花生油、ヒマシ油、アセチル化ラノリンアルコール、ワセリン、鉱物油、ブチルミリステート、イソステアリン酸、パルミチン酸、イソプロピルリノレート、ラウリルラクテート、ミリスチルラクテート、デシルオレエート、ミリスチルミリステートおよびそれらの混合物が挙げられる。
【００３０】
エステルエモリエントのうち、以下のものがある：
ａ）１０個〜２０個の炭素原子を有する脂肪酸のアルケニルまたはアルキルエステル。その例として、イソアラキジルネオペンタノエート、イソデシルネオペンタノエート、イソノニルイソナノエート、セチルリシノレエート、オレイルミリステート、オレイルステアレート、およびオレイルオレエートが挙げられる。
【００３１】
ｂ）エトキシル化脂肪アルコールの脂肪酸エステル等のエーテル−エステル。
【００３２】
ｃ）多価アルコールエステル。ブチレングリコール、エチレングリコールモノおよびジ脂肪酸エステル、ジエチレングリコールモノおよびジ脂肪酸エステル、ポリエチレングリコール（２００〜６０００）モノおよびジ脂肪酸エステル、プロピレングリコールモノおよびジ脂肪酸エステル、ポリプロピレングリコール２０００モノオレエート、ポリプロピレングリコール２０００モノステアレート、エトキシル化プロピレングリコールモノステアレート、グリセリルモノおよびジ脂肪酸エステル、ポリグリセロールポリ脂肪エステル、エトキシル化グリセリルモノステアレート、１，３−ブチレングリコールモノステアレート、１，３−ブチレングリコールジステアレート、ポリオキシエチレンポリオール脂肪酸エステル、ソルビタン脂肪酸エステル、およびポリオキシエチレンソルビタン脂肪酸エステルは、満足のできる多価アルコールエステルである。特に有用なものは、ペンタエリスリトール、トリメチロールプロパン、およびＣ１〜Ｃ３０アルコールのネオペンチルグリコールエステルである。ペンタエリスリチルテトラエチルヘキサノエートが例示される。
【００３３】
ｄ）ミツロウ、鯨ロウ、およびトリベヘニンワックス等のワックスエステル。
【００３４】
ｅ）ステロールエステル、その例はコレステロール脂肪酸エステルである。
【００３５】
ｆ）スクロースポリベヘネート（ｓｕｃｒｏｓｅ  ｐｏｌｙｂｅｈｅｎａｔｅ）およびスクロースポリコットンシーデート（ｓｕｃｒｏｓｅ  ｐｏｌｙｃｏｔｔｏｎｓｅｅｄａｔｅ）等の脂肪酸の糖エステル。
【００３６】
有用な炭化水素として、ワセリン、鉱物油、Ｃ１１〜Ｃ１３イソパラフィン、ポリアルファオレフィン、および特にイソヘキサデカンが挙げられる。
【００３７】
ビタミンは、脂溶性ビタミンおよび水溶性ビタミンであってもよいが、好ましくは水溶性のビタミンである。本明細書で使用される「水溶性ビタミン」は、水に溶解して２５℃において１リットル当たり少なくとも１グラムの濃度を有する溶液を生じるビタミンを指す。水溶性ビタミンの例として、アスコルビン酸（ビタミンＣ）、チアミン（ビタミンＢ１）、ナイアシン（ニコチン酸）、ナイアシンアミド（ビタミンＢ３）、リボフラビン（ビタミンＢ２）、パントテン酸（ビタミンＢ５）、ビオチン、葉酸、ピリドキシン（ビタミンＢ６）、およびシアノコバラミン（ビタミンＢ１２）が挙げられる。
【００３８】
好適なアミノ酸の例として、アルギニン、システイン、グルタミン、グルタミン酸、イソロイシン、ロイシン、メチオニン、セリン、およびバリン、および／またはそれらの前駆体および誘導体が挙げられる。
【００３９】
本発明の方法は、処理した第１部分を乾燥工程に供する工程（ｉｉｉ）を含む。
【００４０】
乾燥工程（ｉｉｉ）は、処理した第１部分と熱風を接触させること、第１部分を周囲空気に放置すること、第１部分を真空乾燥すること、第１部分にアイロンを当てること、またはそれらの組み合せを含んでもよい。本明細書で使用される周囲は、環境温度、しばしば２５℃で大気圧を意味する。本明細書で使用される熱風は、２５℃よりも高い温度を有する空気を指す。乾燥の方法は、処理した第１部分に熱風を接触させること、処理した第１部分を周囲空気に放置すること、またはそれらの組み合せを含むことが好ましい。処理した第１部分と熱風との接触は、好ましくは、処理した第１部分をオーブンに入れることおよび／または処理した第１部分にドライヤーを当てることを含む。特定の実施形態では、乾燥工程は大気圧下で行われることが好ましい。
【００４１】
さらに迅速な乾燥を提供しおよび／または操作を簡便にするため、乾燥温度は−５０℃〜３００℃、より好ましくは０℃〜２００℃、さらに好ましくは２５℃〜１５０℃、最も好ましくは４０℃〜１００℃であることが好ましい。乾燥工程の期間は、典型的には１秒〜２００時間、より好ましくは１分〜５０時間、さらに好ましくは５分〜２０時間、最も好ましくは１５分〜６時間である。
【００４２】
乾燥方法が、処理した第１部分と熱風を接触させることを含む場合、乾燥工程の期間は好ましくは少なくとも１秒、より好ましくは少なくとも１０秒、さらに好ましくは２分〜１０時間、一層好ましくは２分〜５時間、最も好ましくは１０分〜２時間である。熱風は、好ましくは３０℃〜２００℃、より好ましくは３５℃〜１２０℃、さらに好ましくは３５℃〜８０℃、最も好ましくは４０℃〜６０℃の温度を有する。
【００４３】
周囲環境での自然乾燥の方法が採用される場合、乾燥工程の期間は、好ましくは少なくとも１時間、より好ましくは少なくとも５時間、さらに好ましくは１０時間〜１００時間である。
【００４４】
本発明の方法は、乾燥した第１部分を機械的に処理する工程（ｉｖ）を含む。機械的処理は、少なくとも５０μＮ、より好ましくは５００μＮ〜１００Ｎ、さらに好ましくは５ｍＮ〜１０Ｎ、最も好ましくは５０ｍＮ〜４Ｎの力を印加する工程を含むことが好ましい。上記力は、好ましくは法線力である。
【００４５】
機械的処理の方法は、好ましくはコーミング、スクラッチング、折りたたみ、引き裂き、混練またはそれらの組み合せを含み、より好ましくはコーミング、折りたたみ、混練またはそれらの組み合せを含む。さらに好ましい機械的処理は、コーミング、折りたたみまたはそれらの組み合せを含む。コーミングが採用される場合、ヒト用および／または動物用の任意の櫛を使用してもよい。コーミングはヒト用の一般的な櫛によって行われることが好ましい。機械的処理が折りたたみ工程を含む場合、機械的処理は折りたたんだものを広げる工程も含むことが好ましい。
【００４６】
工程（ｉｖ）の後、上記方法は、処理した第１部分の少なくとも１つの性質を評価する工程（ｖ）を含んでもよい。評価される性質は、大きさ、形状、表面の手触り、色、跡、完全性、透明性、またはこれらの組み合せ等の外観であることが好ましい。外観は、ヒト裸眼で直接に観察して評価されることが好ましい。追加的にまたは代替的に、外観は１００倍以下、好ましくは１０倍未満の倍率の画像および／またはビデオの撮影によって評価される。完全性は、薄片の存在／量を含んでもよい。追加的にまたは代替的に、評価される性質は重量である。
【００４７】
本発明の方法は、プラセボ製品に対するパーソナルケア製品またはその成分の頭皮強化および／またはフケ防止の能力を評価するため使用される場合に特に効果的である。したがって、上記方法は、最も好ましい実施形態において、工程（ｉ）において上記物品の第２部分を選択すること、工程（ｉｉ）において該第２部分をプラセボ製品で処理すること、乾燥工程（ｉｉｉ）に対して第２の処理部分を処理すること、および工程（ｉｖ）において第２の乾燥部分を機械的にも処理することを含む。
【００４８】
第２部分は、たとえば物品の種類並びに長さおよび孔径に関して、実質的に第１部分と同じであるべきである。
【００４９】
本明細書で使用されるプラセボは、試験されるパーソナルケア製品またはその成分と比較して成分が含まれていないか、成分のレベルが低い製品を意味する。上記プラセボは、試験されるパーソナルケア製品またはその成分とは異なる任意の組成物であってもよい。しかしながら、プラセボ製品の重量による上記成分の濃度は、試験されるパーソナルケア製品またはその成分の重量による前記成分の濃度の半分（１／２）以下、より好ましくは四分の一（１／４）以下、最も好ましくは十分の一（１／１０）以下であることが好ましい。最も好ましくは上記プラセボが水である（またはプラセボ製品の重量の少なくとも９９％の水、より好ましくは９９．９％〜１００％の水を少なくとも含む）。
【００５０】
工程（ｖ）で評価される性質は、未処理の物品および／または処理した第２部分に対する処理した第１部分の特性の変化であることが好ましい。その特性は、好ましくは外観および／または重量であり、より好ましくは跡、完全性および／または重量である。
【００５１】
以下の実施例は、本発明の理解を促すため提供される。実施例は、特許請求の範囲を限定することを意図するものではない。
【００５２】
［実施例］
［実施例１］
グリセリン８ｇ、ヒマワリ油０．４８ｇ、および水３１．５２ｇを混合して試験試料を調製した。プラセボは４０ｇの水であった。一片の人工皮膚（３ｃｍ×３ｃｍ、ＶＩＴＲＯ−ＳＫＩＮ（登録商標）ＩＭＳ  Ｉｎｃ．、米国）を試験試料中に入れ、別の同じ試験片をプラセボ中に入れた。１０分間の浸漬の後、二片の人工皮膚を試験試料およびプラセボから取り除き、２つの同じプレートに別々に広げ、周囲環境下（大気圧、２５℃、および５０％相対湿度）に１６時間置いた。その後、これら二片の人工皮膚をヒトの手で一回折りたたみ、広げた。
【００５３】
プラセボで処理した人工皮膚片は数片に破れたことが観察され、人工皮膚が壊れやすいことを示した。しかしながら、試験試料で処理した人工皮膚片は無傷のままであり、人工皮膚の強化を実証したことがわかった。
【００５４】
［実施例２］
試験試料、プラセボの調製、および浸漬処理は実施例１と同じであった。その後、これら二片の人工皮膚を周囲環境下（大気圧、２５℃、および５０％相対湿度）で４８時間乾燥し、頭皮／毛髪の梳きを真似るため各々金属の櫛を使用して同様の力で２０回引っ掻いた。
【００５５】
プラセボで処理した人工皮膚には非常にはっきりとした引っ掻き跡があり、またプラセボで処理した人工皮膚からは薄片が落ちたことが観察され、脆いことが明らかであった。対照的に、試験試料で処理した人工皮膚には目立った引っ掻き跡および薄片はなく、人工皮膚の強化を示した。
【００５６】
［実施例３］
乾燥工程を５０℃のオーブンで２時間行ったこと以外は、実施例２に類似する試験および知見であった。
【００５７】
［実施例４］
グリセリン２０ｇ、ヒマワリ油０．４ｇ、および水１９．６ｇを混合して試験試料１（ｓ１）を調製した。ＣＬＥＡＲ（登録商標）Ｓｈａｍｐｏｏ  ２０ｇ、および水２０ｇを混合して試験試料２（ｓ２）を調製した。そのシャンプーは０．５重量％のグリセリンおよび０．１重量％のヒマワリ油を含む。プラセボは４０ｇの水であった。
【００５８】
３つのシロキクラゲ（トレメラ・フシフォルミス（Ｔｒｅｍｅｌｌａ  ｆｕｃｉｆｏｒｍｉｓ））をＳ１、Ｓ２およびプラセボ中にそれぞれ入れた。１分間の浸漬の後、シロキクラゲを試験試料およびプラセボから取り除き、一般的なヘアドライヤーを５分間当てた。その後、これらの処理したシロキクラゲをヒトが使用するための一般的な櫛で各々１０回引っ掻いた。
【００５９】
プラセボで処理したシロキクラゲは数片に破れたことが観察され、シロキクラゲが壊れやすいことを示した。対照的に、Ｓ１およびＳ２で処理したシロキクラゲはいずれも無傷のままであったことが分かり、シロキクラゲはＳ１およびＳ２の両方によって栄養が与えられ、強化されたことを実証した。
【００６０】
［実施例５］
人工皮膚に代えて２片のパン（８ｃｍ×８ｃｍ×０．８ｃｍ）を用いたこと以外は、実施例２と同じ試験および知見であった。